(57)【特許請求の範囲】
【請求項１】
利用者からの入力を受け付けた場合に、オペレーティングシステムの動作を開始させる電源ボタンと、
複数のキーを有するキーボードと、
前記オペレーティングシステムの動作が停止している動作停止状態において、前記電源ボタンとは異なるスイッチへの入力を受け付ける制御部と、
前記制御部が前記スイッチへの入力を受け付けた場合に電源供給が開始され、前記複数のキーのうち予め定められたキーへの入力を受け付ける入力部と、
前記動作停止状態において前記制御部が前記スイッチへの入力を受け付けた場合に、前記動作停止状態を保持したまま、前記入力部が入力を受け付けたキーに対応付けられた処理を行い、前記処理を完了した場合に前記入力部への電源供給を終了させる実行部と
を備えることを特徴とする情報処理装置。
【請求項２】
前記制御部は、前記複数のキーのうちの予め定められた第１のキーである前記スイッチの入力を受け付け、
前記入力部は、前記複数のキーのうち予め定められた第２のキーへの入力を受け付け、
前記実行部は、前記入力部が前記第２のキーへの入力を受け付けた場合に、前記第２のキーに対応付けられた処理を行うことを特徴とする請求項１記載の情報処理装置。
【請求項３】
前記第１のキーは、前記制御部及び前記マイクロコントローラに接続されており、
前記制御部は、ハードウェアロジック回路により実現され、
前記入力部は、前記電源供給が開始された場合に、マイクロコントローラにより前記複数のキーをスキャンして前記第２のキーへの入力を検出する
請求項２に記載の情報処理装置。
【請求項４】
前記動作停止状態において、前記入力部は、当該情報処理装置に外部電源が接続されていない場合に電源供給が停止された状態にあり、
前記制御部は、前記スイッチへの入力を受け付けた場合に、前記オペレーティングシステムの動作が停止している状態を保持したまま、前記マイクロコントローラへの電源供給を開始させる
請求項３に記載の情報処理装置。
【請求項５】
前記動作停止状態において、前記入力部は、当該情報処理装置に外部電源が接続されている場合、前記第１のキーへの入力を受け付け前記第２のキーへの入力を受け付けないスリープモードの状態にある請求項４記載の情報処理装置。
【請求項６】
前記入力部は、前記スイッチへの入力を受け付けた場合に、予め定められた期間、前記予め定められたキーへの入力を受け付ける請求項１に記載の情報処理装置。
【請求項７】
前記入力部は、前記スイッチへの入力を検出した場合に、前記複数のキーのうち予め定められた２つのキーへの入力を受け付け、
前記実行部は、前記２つのキーの組み合わせに対応付けられた処理を行うことを特徴とする請求項１に記載の情報処理装置。
【請求項８】
前記実行部は、前記予め定められた処理として、利用者の操作を支援する処理、または利用者に情報を提供する処理を行う請求項１に記載の情報処理装置。
【請求項９】
前記実行部は、前記予め定められた処理として、前記電源ボタンの位置を前記利用者に指示する処理、前記キーボードを照射する投光器を点灯する処理、および、当該情報処理装置を駆動するバッテリーの残量を利用者に示す処理の少なくとも１つを行う請求項１に記載の情報処理装置。
【請求項１０】
利用者からの入力を受け付けた場合に、オペレーティングシステムの動作を開始させる電源ボタンと、
複数のキーを有するキーボードと、
前記複数のキーをスキャンするマイクロコントローラを有し、前記オペレーティングシステムの動作が停止している動作停止状態においてスリープモードまたは電源が供給されない状態となるソフトウェアスキャン回路と、
前記動作停止状態において、前記電源ボタンとは異なるスイッチへの入力を受け付けた場合に、前記ソフトウェアスキャン回路を前記スリープモードから通常のモードに移行させ、または前記ソフトウェアスキャン回路への電源の供給を開始させる制御部と
を備え、
前記ソフトウェアスキャン回路内のマイクロコントローラは、
前記動作停止状態において前記制御部が前記スイッチへの入力を受け付けた場合に、前記動作停止状態を保持したまま予め定められた処理を行い、
前記予め定められた処理を完了した場合に、前記ソフトウェアスキャン回路を前記スリープモードに設定し、または前記ソフトウェアスキャン回路への電源供給を終了させる
ことを特徴とする情報処理装置。
【請求項１１】
利用者からの入力を受け付けた場合に、オペレーティングシステムの動作を開始させる電源ボタンと、複数のキーを有するキーボードと、前記複数のキーへの入力を受け付ける入力部とを備える情報処理装置を制御する制御方法であって、
前記オペレーティングシステムの動作が停止している動作停止状態において、前記電源ボタンとは異なるスイッチへの入力を受け付ける制御ステップと、
前記制御部が前記スイッチへの入力を受け付けた場合に前記入力部への電源供給を開始して、前記複数のキーのうち予め定められたキーへの入力を受け付ける入力ステップと、
前記動作停止状態において前記制御ステップが前記スイッチへの入力を受け付けた場合に、前記動作停止状態を保持したまま、前記入力ステップにおいて入力を受け付けたキーに対応付けられた処理を行い、前記処理を完了した場合に前記入力部への電源供給を終了させる実行ステップと
を備えることを特徴とする制御方法。
【請求項１２】
前記制御ステップは、前記複数のキーのうち予め定められた第１のキーである前記スイッチに接続されたハードウェアロジック回路により実行され、
前記入力ステップは、前記電源供給が開始された場合に、前記入力部が有するマイクロコントローラにより前記複数のキーをスキャンして、前記複数のキーのうち予め定められた第２のキーへの入力を受け付ける
ことを特徴とする請求項１１に記載の制御方法。
【請求項１３】
利用者からの入力を受け付けた場合に、オペレーティングシステムの動作を開始させる電源ボタンと、複数のキーを有するキーボードと、前記複数のキーをスキャンするマイクロコントローラを有し、前記オペレーティングシステムの動作が停止している動作停止状態においてスリープモードまたは電源が供給されない状態となるソフトウェアスキャン回路とを備える情報処理装置を制御する制御方法であって、
前記動作停止状態において、前記電源ボタンとは異なるスイッチへの入力を受け付けた場合に、前記ソフトウェアスキャン回路を前記スリープモードから通常のモードに移行させ、または前記ソフトウェアスキャン回路への電源の供給を開始させる制御ステップと、
前記動作停止状態において前記スイッチへの入力を受け付けた場合に、前記ソフトウェアスキャン回路内のマイクロコントローラにより、前記動作停止状態を保持したまま予め定められた処理を行う実行ステップと、
前記予め定められた処理を完了した場合に、前記ソフトウェアスキャン回路を前記スリープモードに設定し、または前記ソフトウェアスキャン回路への電源供給を終了させるステップと
を備えることを特徴とする制御方法。
【発明の詳細な説明】
【０００１】
【発明の属する技術分野】
本発明は、情報処理装置及び制御方法に関する。特に本発明は、利用者の入力に応じて情報の処理を行う情報処理装置及び制御方法に関する。
【０００２】
【従来の技術】
利用者からの入力に応じてバッテリーの残量の表示、出力音量の調節、及びキーボードへの投光器の点灯等の処理を行う情報処理装置が提案されている。
【０００３】
【発明が解決しようとする課題】
しかしながら、上記の情報処理装置は、当該装置の電源が投入されている状態においてのみ、上記の処理を行うことができた。従って、利用者は、上記の処理を行うために電源を投入し、オペレーティングシステムの起動を待つ必要があった。
そこで本発明は、上記の課題を解決することのできる情報処理装置及び制御方法を提供することを目的とする。この目的は特許請求の範囲における独立項に記載の特徴の組み合わせにより達成される。また従属項は本発明の更なる有利な具体例を規定する。
【０００４】
【課題を解決するための手段】
即ち、本発明の第１の形態によると、利用者からの入力を受け付けた場合に、オペレーティングシステムの動作を開始させる電源ボタンと、オペレーティングシステムの動作が停止している動作停止状態において、電源ボタンとは異なるスイッチへの入力を受け付ける制御部と、動作停止状態において制御部がスイッチへの入力を受け付けた場合に、動作停止状態を保持したまま予め定められた処理を行う実行部とを備えることを特徴とする情報処理装置及び当該情報処理装置を制御する制御方法を提供する。
【０００５】
本発明の第２の形態によると、オペレーティングシステムの実行処理を行う処理部と、複数のキーを有するキーボードと、複数のキーへの入力を受け付ける入力部と、処理部及び入力部が動作を停止している動作停止状態である場合に、予め定められたキーへの入力を受け付け、処理部を動作停止状態に保持したまま入力部を動作状態とする制御部とを備えることを特徴とする情報処理装置及び当該情報処理装置を制御する制御方法を提供する。
【０００６】
本発明の第３の形態によると、複数のキーを有するキーボードと、画像を表示する表示ユニットと、キーボード及び表示ユニットを開閉可能に接続し、キーボード及び表示ユニットを閉じた状態である閉状態である場合に、複数のキーを表示ユニットにより隠蔽し、キーボード及び表示ユニットを開いた状態である開状態である場合に、複数のキーを表示ユニットにより隠蔽せずに利用者により入力可能な状態とする接続部と、接続部が閉状態から開状態とされた場合に、複数のキーのうち少なくとも一のキーの位置を示す投光器を点灯する制御部とを備えることを特徴とする情報処理装置を提供する。
【０００７】
なお上記の発明の概要は、本発明の必要な特徴の全てを列挙したものではなく、これらの特徴群のサブコンビネーションも又発明となりうる。
【０００８】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【０００９】
図１は、情報処理装置１０の概略図である。情報処理装置１０は、情報の処理を行う本体ユニット２０と、複数のキーを有するキーボード３０と、表示ユニット４０と、キーボード３０及び表示ユニット４０を開閉可能に接続する接続部２１０とを備える。本体ユニット２０は、電源ボタン２００を有する。表示ユニット４０は、キーボード３０に光を照射するキーボード投光器４２０を有する。
接続部２１０は、キーボード３０及び表示ユニット４０を閉じた状態である閉状態の場合に複数のキーを表示ユニット４０により隠蔽し、キーボード３０及び表示ユニット４０を開いた状態である開状態の場合に複数のキーを表示ユニット４０により隠蔽せずに利用者により入力可能な状態とする。
【００１０】
情報処理装置１０は、利用者から電源ボタン２００への入力を受け付けた場合に、オペレーティングシステムの動作を開始する。また、情報処理装置１０は、利用者の操作に応じて、動作停止状態を保持したまま予め定められた処理、すなわちキーボード投光器４２０を点灯させる処理、電源ボタンの位置を示す発光器を点灯する処理、又は情報処理装置１０を駆動するバッテリー残量を示す処理を行う。これにより、情報処理装置１０は、動作停止状態により低消費電力を保持したまま、利用者の操作を支援したり、利用者の利便性を向上させる情報を提供することができる。
【００１１】
図２は、情報処理装置１０の機能ブロック図である。情報処理装置１０は、本体ユニット２０と、キーボード３０と、表示ユニット４０とを備える。本体ユニット２０は、電源ボタン２００と、接続部２１０と、ハードウェアロジック回路２２０と、処理部２５０と、ソフトウェアスキャン回路２６０とを有する。キーボード３０は、所定のキーの押下状態を示すキーボード発光器３００ａ〜ｅと、第１のキーである機能拡張キー３１０と、第２のキーである機能キー３２０とを含む。なお、機能拡張キー３１０は、本発明に係るスイッチの一例である。表示ユニット４０は、表示部４００と、キーボード投光器４２０とを含む。
電源ボタン２００は、電源ボタン２００の位置を示す発光器２０５を含む。接続部２１０は、スイッチ２１５を含む。ハードウェアロジック回路２２０は、制御部２２２を含む。処理部２５０は、オペレーティングシステム２５２を含み、オペレーティングシステム２５２の実行処理を行う。ソフトウェアスキャン回路２６０は、マイクロコントローラ２６２と、ファームウェア２６４とを含む。ファームウェア２６４は、実行部２３０と、入力部２４０とを含む。より詳しくは、ファームウェア２６４は、実行モジュールと、入力モジュールとを含み、マイクロコントローラ２６２を実行部２３０及び入力部２４０として動作させる。なお、ファームウェア２６４とは、例えば、プログラム及びデータを格納したＳＲＡＭ、ＲＯＭ等の不揮発性の記録媒体である。
【００１２】
電源ボタン２００は、利用者からの入力に応じて情報処理装置１０への電源供給を開始する。すなわち、電源ボタン２００は、利用者からの入力を受け付けた旨の情報を制御部２２２に送る。接続部２１０は、スイッチ２１５を用いて、接続部２１０の開閉状態の情報を検出する。機能拡張キー３１０は、利用者からの入力を受け付ける。
制御部２２２は、電源ボタン２００、接続部２１０、又は機能拡張キー３１０から受け取った情報に応じて、処理部２５０又はソフトウェアスキャン回路２６０への電源供給を開始させる。また、制御部２２２は、情報処理装置１０を動作させる外部電源（ＡＣアダプターなど）が接続されているか否かの検出結果に基づいて、処理部２５０又はソフトウェアスキャン回路２６０に指示を送る。
【００１３】
処理部２５０は、オペレーティングシステム２５２を実行し、必要に応じて表示部４００に画像を表示する。
【００１４】
ソフトウェアスキャン回路２６０は、マイクロコントローラ２６２及びファームウェア２６４を用いて、実行部２３０及び入力部２４０に下記の処理をさせる。実行部２３０は、制御部２２２からの指示に応じて、キーボード投光器４２０及び発光器２０５を所定時間点灯する処理を行う。一方、入力部２４０は、制御部２２２からの指示に応じて、キーボード３０の複数のキーの押下状態を検出する。入力部２４０が所定のキー（例えば機能拡張キー３１０及び機能キー３２０双方）の押下を検出した場合に、実行部２３０は、バッテリー残量を検出する。そして、実行部２３０は、このバッテリー残量に応じてキーボード発光器３００ａ〜ｅを点灯させる。
【００１５】
図３は、ハードウェアロジック回路２２０、ソフトウェアスキャン回路２６０、及び機能拡張キー３１０の接続関係の一例を示す図である。ハードウェアロジック回路２２０とは、例えば、ゲートアレイにより実現される論理回路であり、他の例としては、アナログ回路のコンパレータであってもよい。機能拡張キー３１０は、押下状態においてオンとなるスイッチであり、ハードウェアロジック回路２２０及びソフトウェアスキャン回路２６０のそれぞれと接続される。ハードウェアロジック回路２２０は、キーボード３０の複数のキーのうち一部のキーである機能拡張キー３１０が押下されたか否かを検出する。ハードウェアロジック回路２２０は、機能拡張キー３１０の押下を、例えば電圧の変化により検出するが、他の例としては、電圧の高さにより検出してもよい。一方、ソフトウェアスキャン回路２６０は、機能拡張キー３１０を含む複数のキーの押下状態を検出する。ソフトウェアスキャン回路２６０は、例えば、これらのキーの押下状態をソフトウェアの処理により定期的に検出する。
このように、ソフトウェアスキャン回路２６０及びハードウェアロジック回路２２０の双方が機能拡張キー３１０の押下状態を検出するので、情報処理装置１０は、ソフトウェアスキャン回路２６０に電源を供給させない状態であっても、ハードウェアロジック回路２２０により機能拡張キー３１０の押下状態を検出することができる。
【００１６】
図４は、情報処理装置１０のフローチャートである。本図において、オペレーティングシステムが動作していない動作停止状態における情報処理装置１０の動作を説明する。
ここで、動作停止状態とは、例えば、電源ボタンが押下される以前の状態である。動作停止状態とは、例えば、オペレーティングシステムの実行を再開可能に停止し、その実行状態をメモリに格納したサスペンド状態である。また、動作停止状態とは、実行状態を磁気ディスク等に保存したハイバネーション状態でもよいし、実行状態を処理部２５０（ＣＰＵ等）のレジスタ及びメモリに保存したまま処理部２５０を低消費電力状態に移行したスリープ状態又はスタンバイ状態でもよい。また、動作停止状態とは、表示部４００への表示を停止している状態であってもよい。
【００１７】
また、動作停止状態とは、例えば、情報処理装置１０のマザーボードの一部への電源供給を停止又は低減することにより、利用者の入力に応じて情報の処理を行う通常の動作状態より消費電力を低減した状態である。例えば、動作停止状態とは、外部電源が接続されていない状態において、処理部２５０及び入力部２４０への電源供給を停止している状態である。また、外部電源が接続されている状態において、動作停止状態とは、入力部２４０が機能拡張キー３１０及びスイッチ２１５への入力のみを受け付けるスリープモードである状態であってもよい。また、動作停止状態とは、例えば、オペレーティングシステムが動作が開始されていないパワーオフ状態であってもよい。
【００１８】
制御部２２２が情報処理装置１０を動作させる外部電源（ＡＣアダプター等）に接続されていると判断した場合に（Ｓ１００：ＹＥＳ）、制御部２２２は、入力部２４０及び実行部２３０の電源をＯＮにする（Ｓ１０５）。続いて、実行部２３０は、ソフトウェアスキャン回路２６０を、機能拡張キー３１０及びスイッチ２１５のみへの入力を受け付ける状態であるスリープモードに設定する。そして、ソフトウェアスキャン回路２６０の実行部２３０及び入力部２４０は、利用者の入力の検出及び処理を行う（Ｓ２００：詳細は図５）。続いて、情報処理装置１０は、Ｓ１５０の処理に移る。
【００１９】
一方、制御部２２２は、情報処理装置１０を動作させる外部電源（ＡＣアダプター等）に接続されていないと判断した場合に（Ｓ１００：ＮＯ）、接続部２１０が閉状態から開状態とされたか否かをスイッチ２１５を用いて検出すると共に、機能拡張キー３１０への入力を受け付けたか否かを判断する（Ｓ１３０）。制御部２２２は、機能拡張キー３１０又はスイッチ２１５への入力を受け付けた場合に（Ｓ１３０：ＹＥＳ）、動作停止状態を保持したままソフトウェアスキャン回路２６０への電源供給を開始させ（Ｓ１４０）、機能拡張キー３１０及びスイッチ２１５それぞれへの入力を受け付けたか否かを示す情報をソフトウェアスキャン回路２６０に送る。続いて、ソフトウェアスキャン回路２６０の実行部２３０及び入力部２４０は、利用者の入力の検出及び処理を行う（Ｓ２００）。その後、情報処理装置１０は、Ｓ１５０の処理に移る。一方、制御部２２２が機能拡張キー３１０及びスイッチ２１５何れへの入力をも受け付けなかった場合に（Ｓ１３０：ＮＯ）、情報処理装置１０は、Ｓ１００に戻り動作を継続する。
【００２０】
実行部２３０が情報処理装置１０を動作させる外部電源に接続されていると判断した場合に（Ｓ１５０：ＹＥＳ）、情報処理装置１０は、Ｓ１１０からの処理に移る。一方、実行部２３０が情報処理装置１０を動作させる外部電源に接続されていないと判断した場合に（Ｓ１５０：ＮＯ）、実行部２３０は、制御部２２２に、入力部２４０及び実行部２３０の電源をＯＦＦにする旨の指示を送ることにより（Ｓ１６０）、入力部２４０及び実行部２３０の電源をオフにし（Ｓ１７０）、Ｓ１３０からの処理に移る。
このように、制御部２２２は、処理部２５０及びオペレーティングシステム２５２の動作が停止している動作停止状態において、電源ボタンとは異なるスイッチ２１５及び機能拡張キー３１０への入力を受け付け、この動作停止状態を保持したまま、実行部２３０及び入力部２４０の動作を開始することができる。
【００２１】
図５は、図４のＳ２００における入力及び処理を表すフローチャートである。実行部２３０は、制御部２２２から、スイッチ２１５への入力を受け付けたか否かを示す情報を受け取る。制御部２２２がスイッチ２１５への入力を受け付けたと判断した場合に（Ｓ２１０：ＹＥＳ）、実行部２３０は、キーボード３０に光を照射するキーボード投光器４２０及び電源ボタンの位置を利用者に示す発光器２０５を点灯する（Ｓ２２０）。
【００２２】
制御部２２２が機能拡張キー３１０への入力を受け付けたと判断した場合に（Ｓ２３０：ＹＥＳ）、実行部２３０は、制御部２２２から、機能拡張キー３１０への入力を受け付けたか否かを示す情報を受け取る。ソフトウェアスキャン回路２６０は、スリープモードから通常のモードに移行する。そして、入力部２４０は、予め定められた期間キーボード３０の複数のキーへの入力を受け付ける。入力部２４０が、この期間内に、機能拡張キー３１０及び機能キー３２０への入力を受け付けた場合に（Ｓ２４０：ＹＥＳ）、実行部２３０は、機能拡張キー３１０及び機能キー３２０の組み合わせに応じた処理、すなわち情報処理装置１０を駆動するバッテリーの残量を利用者に示す処理を行う（Ｓ２５０）。なお、入力部２４０は、この期間以前からキーが押されていた場合についても、この期間内に入力を受け付けたと判断する。
【００２３】
なお、実行部２３０が行う処理は、上記処理に限定されない。例えば、実行部２３０は、入力されたキーに対応して、情報処理装置１０の出力音量を調節する処理、画像の表示部４００への出力を停止する処理、及び出力端子を介して画像データを外部へ出力するか否かを選択する処理等を行ってもよい。
このように、情報処理装置１０は、オペレーティングシステムが動作していない動作停止状態を保持したまま、入力されたスイッチ及びキーに予め対応付けられた処理を行うことができる。
【００２４】
図６は、実行部２３０がキーボード３００を用いて示すバッテリー残量の図である。オペレーティングシステムが動作している動作状態において、キーボード発光器３００ａ〜ｅは、それぞれ、ハードディスクの動作、ナンバーロックキーへの入力、キャップスロックキーへの入力、スクロールロックキーへの入力、及び情報処理装置１０全体への電源供給の各状態に応じて点灯する。一方、オペレーティングシステムが動作を停止している動作停止状態において、実行部２３０は、キーボード発光器３００ａ〜ｅそれぞれの点灯の組み合わせによりバッテリーの残量を示す処理を行う。例えば、キーボード発光器３００ａ〜ｅのそれぞれを、点灯（オン）、消灯（オフ）、消灯（オフ）、消灯（オフ）、及び消灯（オフ）とすることにより、実行部２３０は、現在のバッテリーの残量が限界容量の５〜２０％であることを示す。このように、情報処理装置１０は、既存のキーボードにおけるキーボード発光器３００ａ〜ｅの点消灯の機能を効果的に利用することにより、バッテリーの残量を利用者に示すことができる。
【００２５】
本実施形態から明らかなように、情報処理装置１０は、処理部２５０及びオペレーティングシステム２５２等の動作が停止している動作停止状態を保持したまま、利用者の操作を受け付けることができる。この時、情報処理装置１０は、ソフトウェアスキャン回路２６０より消費電力の低いハードウェアロジック回路２２０を用いる。従って、情報処理装置１０は、低消費電力の状態を保持したまま、利用者の操作を受け付けることができる。
また、情報処理装置１０は、上記操作を受け付けた場合に、動作停止状態を保持したまま、利用者からのキー入力を受け付け、このキー入力に対応付けられた処理を行うことができる。従って、情報処理装置１０は、低消費電力であるこの動作停止状態を保持したまま、利用者の要求に直ちに応じ、利用者の操作を支援する情報や、利用者の利便性を向上させる情報を提供する処理を行うことができる。
【００２６】
以上に説明した実施形態によれば、以下の各項目に示す情報処理装置及び制御方法が実現される。
【００２７】
（項目１）  利用者からの入力を受け付けた場合に、オペレーティングシステムの動作を開始させる電源ボタンと、前記オペレーティングシステムの動作が停止している動作停止状態において、前記電源ボタンとは異なるスイッチへの入力を受け付ける制御部と、前記動作停止状態において前記制御部が前記スイッチへの入力を受け付けた場合に、前記動作停止状態を保持したまま予め定められた処理を行う実行部とを備えることを特徴とする情報処理装置。
（項目２）  前記予め定められた処理を前記実行部に処理させるファームウェアを更に備えることを特徴とする項目１記載の情報処理装置。
（項目３）  前記実行部は、前記予め定められた処理として、前記電源ボタンの位置を前記利用者に指示することを特徴とする項目１記載の情報処理装置。
（項目４）  前記利用者からの入力を受け付けるキーボードを更に備え、前記実行部は、前記予め定められた処理として、前記キーボードを照射する投光器を点灯することを特徴とする項目１記載の情報処理装置。
【００２８】
（項目５）  前記実行部は、前記予め定められた処理として、前記情報処理装置を駆動するバッテリーの残量を前記利用者に示す処理を行うことを特徴とする項目１記載の情報処理装置。
（項目６）  複数のキーを有するキーボードと、前記動作状態において、前記複数のキーのそれぞれの入力に応じて点灯する複数の発光器を更に備え、前記実行部は、前記動作停止状態において、前記複数の発光器における点灯の組み合わせにより前記バッテリーの残量を示す処理を行うことを特徴とする項目５記載の情報処理装置。
（項目７）  複数のキーを有し、かつ前記スイッチを前記複数のキーのうちの予め定められた第１のキーとして含むキーボードと、前記制御部が前記第１のキーへの入力を受け付けた場合に、前記複数のキーのうち予め定められた第２のキーへの入力を受け付ける入力部とを更に備え、前記実行部は、前記入力部が前記第２のキーへの入力を受け付けた場合に、前記第２のキーに対応付けられた処理を行うことを特徴とする項目１記載の情報処理装置。
【００２９】
（項目８）  前記入力部は、前記第１のキーへの入力を受け付けた場合に、予め定められた期間、前記第２のキーへの入力を受け付けることを特徴とする項目７記載の情報処理装置。
（項目９）  前記制御部は、前記第１のキーへの入力を受け付けた場合に、前記入力部への電源供給を開始させ、前記実行部は、前記第２のキーに対応付けられた前記処理を完了した場合に、前記入力部への電源供給を終了させることを特徴とする項目７記載の情報処理装置。
（項目１０）  前記入力部は、前記第１のキーへの入力を検出した場合に、前記複数のキーのうち予め定められた２つのキーへの入力を受け付け、前記実行部は、前記２つのキーの組み合わせに対応付けられた処理を行うことを特徴とする項目７記載の情報処理装置。
【００３０】
（項目１１）  オペレーティングシステムの実行処理を行う処理部と、複数のキーを有するキーボードと、前記複数のキーへの入力を受け付ける入力部と、前記処理部及び前記入力部が動作を停止している動作停止状態である場合に、予め定められたキーへの入力を受け付け、前記処理部を動作停止状態に保持したまま前記入力部を動作状態とする制御部とを備えることを特徴とする情報処理装置。
（項目１２）  複数のキーを有するキーボードと、画像を表示する表示ユニットと、前記キーボード及び前記表示ユニットを開閉可能に接続し、前記キーボード及び前記表示ユニットを閉じた状態である閉状態である場合に、前記複数のキーを前記表示ユニットにより隠蔽し、前記キーボード及び前記表示ユニットを開いた状態である開状態である場合に、前記複数のキーを前記表示ユニットにより隠蔽せずに前記利用者により入力可能な状態とする接続部と、前記接続部が前記閉状態から前記開状態とされた場合に、前記複数のキーのうち少なくとも一のキーの位置を示す投光器を点灯する制御部とを備えることを特徴とする情報処理装置。
【００３１】
（項目１３）  複数のキーを有するキーボードと、画像を表示する表示ユニットと、前記キーボード及び前記表示ユニットを開閉可能に接続し、前記キーボード及び前記表示ユニットを閉じた状態である閉状態である場合に、前記複数のキーを前記表示ユニットにより隠蔽し、前記キーボード及び前記表示ユニットを開いた状態である開状態である場合に、前記複数のキーを前記表示ユニットにより隠蔽せずに前記利用者により入力可能な状態とする接続部と、前記接続部が前記閉状態から前記開状態とされた場合に、前記キーボード及び前記表示ユニットの動作を開始させる電源ボタンの位置を示す発光器を点灯する制御部とを備えることを特徴とする情報処理装置。
（項目１４）  複数のキーを有するキーボードと、前記複数のキーのうち一部のキーが押下されたか否かを検出するハードウェアロジック回路と、前記複数のキーの押下状態を検出するソフトウェアスキャン回路とを備えることを特徴とする情報処理装置。
【００３２】
（項目１５）  利用者からの入力を受け付けた場合に、オペレーティングシステムの動作を開始させる電源ボタンを備える情報処理装置を制御する制御方法であって、前記オペレーティングシステムの動作が停止している動作停止状態において、前記電源ボタンとは異なるスイッチへの入力を受け付けるステップと、前記動作停止状態において前記スイッチへの入力を受け付けた場合に、前記動作停止状態を保持したまま予め定められた処理を行うステップとを備えることを特徴とする制御方法。
（項目１６）  オペレーティングシステムの実行処理を行う処理部と、複数のキーを有するキーボードと、前記複数のキーへの入力を受け付ける入力部とを備える情報処理装置を制御する制御方法であって、前記処理部及び前記入力部が動作を停止している動作停止状態である場合に、予め定められたキーへの入力を検出するステップと、前記予め定められたキーへの入力が検出された場合に、前記処理部を動作停止状態に保持したまま前記入力部を動作状態とするステップとを備えることを特徴とする制御方法。
【００３３】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００３４】
【発明の効果】
上記説明から明らかなように、本発明によれば低消費電力の状態を保持したまま利用者の所望する情報を提供することができる。
【図面の簡単な説明】
【図１】図１は、情報処理装置１０の概略図。
【図２】図２は、情報処理装置１０の機能ブロック図。
【図３】図３は、ハードウェアロジック回路２２０、ソフトウェアスキャン回路２６０、及び機能拡張キー３１０の接続関係の一例を示す図。
【図４】図４は、情報処理装置１０のフローチャート。
【図５】図５は、入力及び処理を表すフローチャート。
【図６】図６は、実行部２３０がキーボード３００を用いて示すバッテリー残量の図。
【符号の説明】
１０  情報処理装置
２０  本体ユニット
３０  キーボード
４０  表示ユニット
２００  電源ボタン
２０５  発光器
２１０  接続部
２１５  スイッチ
２２０  ハードウェアロジック回路
２２２  制御部
２３０  実行部
２４０  入力部
２５０  処理部
２５２  オペレーティングシステム
２６０  ソフトウェアスキャン回路
２６２  マイクロコントローラ
２６４  ファームウェア
３００ａ〜ｅ  キーボード発光器
３１０  機能拡張キー
３２０  機能キー
４００  表示部
４２０  キーボード投光器
【図１】
0003777138.tif 000002
【図２】
0003777138.tif 000003
【図３】
0003777138.tif 000004
【図４】
0003777138.tif 000005
【図５】
0003777138.tif 000006
【図６】
0003777138.tif 000007